(57)【要約】【課題】抽斗の内部スペースを所望の広さに一度仕切った後で、該抽斗にたとえ外力等が加わってもその区画されたスペースを確実に保持することが可能な抽斗等の中仕切り体構造を提供する。【解決手段】抽斗Ｈ等の内部スペースを所望サイズに仕切る中仕切り体１０を、板状の本体１１と、該本体１１の両端部に配設された弾性体１２，２０と、から構成し、これら弾性体１２，２０のすくなくとも一方の弾性体１２には、抽斗Ｈの垂直壁板１６の内面方向に突出する弾片１４を突出させ、該弾片１４は、中仕切り体１０で内部スペースを画成するときに上記垂直壁板１６の内面に弾接して立設状態を保持するように構成した。【選択図】      図１
2004329311.tif 000002
【特許請求の範囲】
【請求項１】
抽斗等の内部スペースを所望サイズに仕切る中仕切り体を、板状の本体と、該本体の両端部に配設された弾性体と、から構成し、これら弾性体のすくなくとも一方の弾性体には、抽斗の垂直壁板の内面方向に突出する弾片を突出させ、該弾片は、中仕切り体で内部スペースを画成するときに上記垂直壁板内面に弾接して立設状態を保持するように構成されていることを特徴とする抽斗等の中仕切り体構造。
【請求項２】
前記弾片は、本体の両端部に配設された弾性体に夫々配設されていることを特徴とする請求項１に記載の抽斗等の中仕切り体構造。
【請求項３】
前記弾片の一方は、弾性体の垂直壁板内面側に開設された略Ｕ字状の溝の内方へと延設された突片体で形成されていることを特徴とする請求項１又は請求項２のいずれかに記載の抽斗等の中仕切り体構造。
【請求項４】
前記弾片の一方は、垂直方向に延設された複数条の突辺体で形成されていることを特徴とする請求項１又は請求項２のいずれかに記載の抽斗等の中仕切り体構造。
【請求項５】
前記複数条の突辺体は、突辺体本体に突設されており、該突辺体本体は、前記弾性体に開設された穴部に嵌合係止されるように構成されていることを特徴とする請求項４に記載の抽斗等の中仕切り体構造。
【請求項６】
前記弾性体の下端部は、中仕切り体本体の両側方向に延設されて中仕切り体が自立可能となるように構成されていることを特徴とする請求項１乃至請求項５のいずれかに記載の抽斗等の中仕切り体構造。
【請求項７】
前記中仕切り体本体の下辺部には、滑り止め体が貼着されていることを特徴とする請求項１乃至請求項６のいずれかに記載の抽斗等の中仕切り体構造。
【発明の詳細な説明】
【０００１】
【発明の属する技術分野】
この発明は、抽斗の内部スペースを仕切る中仕切り体の構造に関する。
【０００２】
【従来の技術】
従来、この種の中仕切り体としては、特許文献１や図１０に示すもの等、種々のものが提案されている。
【０００３】
【特許文献１】
特開２０００−２８０６７８号
【０００４】
図１０は、上記従来の摺動自在な中仕切り体を備えた抽斗１の斜視図であって、抽斗１内には４つの中仕切り体２，３，４，５が摺動自在に配置され、抽斗１の内部スペースを複数に分割している。中仕切り体２は抽斗１内の摺動棒６Ａと背板６Ｂに沿って摺動できるように吊持されており、また、中仕切り体３及び４は、摺動棒６Ｃ，６Ｄに沿って摺動できるように吊持し、さらに、中仕切り体５は、中仕切り体２の上辺部に沿って摺動できるように吊持して構成されていた。このように、各中仕切り体２，３，４，５が摺動自在となっているために利用者の好みに応じて任意の収納スペースを構築することができる。
【０００５】
【発明が解決しようとする課題】
しかしながら、前記従来の中仕切り体は、各中仕切り体２，３，４，５の底辺部が抽斗の底板に載置してあるだけの構造なので、所望の位置に中仕切り体２，３，４，５を置いて内部スペースを仕切っても、抽斗に振動が加わったり傾斜させたりすると、すぐに中仕切り体が移動してしまい、仕切ったことが無駄になる、という問題を有していた。
【０００６】
この発明は、かかる現状に鑑み創案されたものであって、その目的とするところは、抽斗の内部スペースを所望の広さに一度仕切った後で、該抽斗にたとえ外力等が加わってもその区画されたスペースを確実に保持することが可能な抽斗等の中仕切り体構造を提供しようとするものである。
【０００７】
【課題を解決するための手段】
上記目的を達成するため、請求項１に記載の抽斗等の中仕切り体構造は、抽斗等の内部スペースを所望サイズに仕切る中仕切り体を、板状の本体と、該本体の両端部に配設された弾性体と、から構成し、これら弾性体のすくなくとも一方の弾性体には、抽斗の垂直壁板の内面方向に突出する弾片を突出させ、該弾片は、中仕切り体で内部スペースを画成するときに上記垂直壁板内面に弾接して立設状態を保持するように構成したことを特徴とするものである。
【０００８】
この場合、上記弾片は、請求項１に記載したような弾性体の一方に配設するのではなく、請求項２に記載したように、本体の両端部に配設された弾性体に夫々配設して構成することもできる。
【０００９】
また、この発明にあっては、前記弾片の一方を、請求項３に記載したように、弾性体の垂直壁板内面側に開設された略Ｕ字状の溝の内方へと延設された突片体で形成し、或は、請求項４に記載したように、垂直方向に延設された複数条の突辺体で形成することができる。勿論、中仕切り体の両端部の一方の弾性体を請求項３或は請求項４の構造とし、他方の弾性体を請求項４或は請求項３の構造とし、若しくは、両方の弾性体を請求項３或は請求項４の構造としても構わない。
【００１０】
さらに、請求項４の構造において、前記複数条の突辺体を、請求項５に記載したように、突辺体本体に突設し、該突辺体本体は、前記弾性体に開設された穴部に嵌合係止できるように構成することで、成形性及び組み立て作業性を向上させるように構成してもよい。
【００１１】
また、この発明にあっては、請求項６に記載したように、前記弾性体の下端部を、中仕切り体本体の両側方向に延設して形成することで、中仕切り体が常態においても自立することができるように構成することができる。
【００１２】
さらに、この発明にあっては、請求項７に記載したように、前記中仕切り体本体の下辺部に、滑り止め体を貼着することで、より強い摩擦力を得ることができ、抽斗により強い外力等が加わっても、その区画されたスペースをさらに堅牢に保持することができる。
【００１３】
【発明の実施の形態】
以下、添付図面に示す実施の形態例に基づき、詳細に説明する。
【００１４】
図１乃至図４に示すように、この発明が適用された実施の形態例に係る中仕切り体１０は、利用者が所望の品を整理する際に、抽斗Ｈの内部スペースを自由な大きさの空間に仕切るもので、例えばアルミニウムやプラスチック等の硬質軽量部材を用いた板状の部材で構成された仕切り体本体１１と、この本体１１の両端部に嵌合され固着された弾性性のあるゴム部材等で形成されてなる弾性体１２及び２０と、から構成されている。この形態例では、上記中仕切り体１０の全長寸法は、抽斗Ｈの内側奥行寸法と略同一となるように形成されている。尚、抽斗Ｈ自体の構成については、従来の各種構造のものと同様であり、そのいずれにも適用することができるので、その詳細な説明をここでは省略する。また、図１中、符号Ａ，Ｂは、上記本体１１に嵌合係止可能な略逆凹状に形成された係止体と板体からなる大小の仕切り体である。
【００１５】
そして、この形態例では、一方の弾性体１２を、正面形状が略逆Ｔ字状に形成し、その略中央部には、特に図４に示すように、略Ｕ字状の溝１３を開設すると共に、該溝１３の内側へと延出する弾片１４を突出させ、該弾片１４は、抽斗Ｈを構成する鏡板１５の垂直壁板１６の内面方向に突出するように構成されている。
【００１６】
また、この形態例では、他方の弾性体２０を、図５乃至図８に示すように、正面形状が略逆Ｔ字状に形成されたベース体２１と、該ベース体２１に開設された係合穴（図示せず）に嵌合係止される摩擦体２２と、で構成されている。
【００１７】
ベース体２１は、仕切り体本体１１の端部に嵌合され固着される。
【００１８】
また、摩擦体２２は、縦長矩形状の板状本体２３と、この板状本体２３の背板側垂直壁面１９方向に突設された３条の突辺体２４，２４，２４と、上記板状本体２３の裏面側に突出された上下一対の楔状係止体２５，２６と、から構成されており、該楔状係止体２５，２６を、ベース体２１に開設された上記係止穴（図示せず）に圧入し、係止させることで、ベース体２１と摩擦体２２とを一体化させることができる。尚、この形態例では、突辺体を３条で形成した場合を例にとり説明したが、この発明にあってはこれに限定されるものではなく、１条或は２条以上で形成してもよい。
【００１９】
さらに、この形態例に係る中仕切り体１０は、その本体１１の下辺部に、図３に示すように、ポリエチレンクロスシート等で形成されてなる滑り止め体１７が貼着されている。
【００２０】
このように構成されてなる中仕切り体１０を抽斗Ｈに取り付ける場合には、図９に示すように、弾性体２０の突辺体２４，２４，２４を抽斗Ｈの背板側垂直壁面１９に押圧しながら中仕切り体１０の他方の弾性体１２側を鏡体１５の垂直壁板１６方向へと回動させる。これにより、弾性体１２の弾片１４は、上記垂直壁板１６に押圧されつつ弾接し、中仕切り体１０は、上記弾性体１２，２０の弾性力によって上記垂直壁板１６と背板側垂直壁面１９との間に架橋された状態で摩擦係止される。上記取付け手順は、弾性体１２，２０とが逆であっても構わない。また、取り外す場合には、上記手順と逆の手順で簡単に取り外すことができる。
【００２１】
以上説明したように、この形態例に係る中仕切り体１０は、弾性体１２，２０を夫々略逆Ｔ字状に形成したので、中仕切り体１０を常態において自立させることができる。
【００２２】
また、この中仕切り体１０は、その下辺部に滑り止め体１５が配設されているので、抽斗Ｈが傾いても、その摩擦力によってその保持状態を維持させることができる。
【００２３】
さらに、上記中仕切り体１０にあっては、弾性体１２，２０の弾性摩擦力によって、抽斗Ｈの内部スペースを簡単に画成することができ、しかも、この弾性体１２，２０の摩擦力は抽斗Ｈが傾いたり外力が作用した程度では解除されない構造であるため、その仕切り状態を安定的に維持させることができる。特に、弾性体２０の突辺体２４，２４，２４は上下に長く、かつ、複数条で形成されているので、その摩擦力を、中仕切り体１０の上下方向に沿ってほぼ均等に得ることができ、例えば、抽斗Ｈが傾いたときに、内容物が中仕切り体１０に当たる等して、本体１１の下部が回動して内容物が移動する、といった状態が発生する虞もない。
【００２４】
【発明の効果】
以上説明したように、請求項１及び請求項２に記載の抽斗等の中仕切り体構造にあっては、弾片が垂直壁板内面に弾接して、その摩擦力によって中仕切り体の立設状態を保持できるので、抽斗の内部スペースを所望の広さに一度仕切った後で、該抽斗にたとえ外力等が加わっても、その区画されたスペースを確実に保持することができる。
【００２５】
また、請求項３乃至請求項５に記載の発明にあっては、中仕切り体の摩擦係合力をより強力なものとすることができ、抽斗により強い外力等が加わっても、その区画されたスペースをより堅牢に保持することができる。
【００２６】
さらに、請求項６に記載された発明にあっては、前記弾性体の下端部を、中仕切り体本体の両側方向に延設して形成したので、中仕切り体が常態においても自立することができるように構成することができる。
【００２７】
また、請求項７に記載された発明にあっては、前記中仕切り体本体の下辺部に、滑り止め体を貼着して構成したので、より強い摩擦力を得ることができ、抽斗により強い外力等が加わっても、その区画されたスペースをさらに堅牢に保持することができる等、幾多の優れた効果を得ることができる。
【図面の簡単な説明】
【図１】この発明の実施の一形態例に係る中仕切り体で抽斗の内部スペースを画成した状態を示す斜視図である。
【図２】同中仕切り体の斜視図である。
【図３】同中仕切り体の右側面図である。
【図４】同中仕切り体の正面図である。
【図５】同中仕切り体の他方の弾性体に嵌合係止される摩擦体の側面図である。
【図６】同摩擦体の背面図である。
【図７】同摩擦体の底面図である。
【図８】同摩擦体の断面図である。
【図９】上記中仕切り体の取付け状態を示す平面説明図である。
【図１０】従来の中仕切り体で抽斗の内部スペースを画成した状態を示す斜視図である。
【符号の説明】
Ｈ  抽斗
１０  中仕切り体
１１  仕切り体本体
１２，２０  弾性体
１３  略Ｕ字状の溝
１４  弾片
１６  鏡板の垂直壁板
１９  背板側垂直壁面
２１  ベース体
２２  摩擦体
２３  板状本体
２４  突辺体
２５，２６  楔状係止体
【図１】
2004329311.tif 000003
【図２】
2004329311.tif 000004
【図３】
2004329311.tif 000005
【図４】
2004329311.tif 000006
【図５】
2004329311.tif 000007
【図６】
2004329311.tif 000008
【図７】
2004329311.tif 000009
【図８】
2004329311.tif 000010
【図９】
2004329311.tif 000011
【図１０】
2004329311.tif 000012